(57)【特許請求の範囲】
【請求項１】
熱源側熱交換器（58）と利用側熱交換器とが設けられた冷媒回路（40）で冷媒を循環させて冷凍サイクルを行い、上記利用側熱交換器を通過した空気を屋内へ供給して屋内の顕熱負荷及び潜熱負荷を処理する空気調和装置であって、
上記冷媒回路（40）は、その全体が屋内又は屋外に配置され、
上記冷媒回路（40）には、表面に吸着剤が設けられた第１及び第２の吸着熱交換器（56,57）と、屋内空気を冷媒と熱交換させる空気熱交換器（55）とが利用側熱交換器として接続され、
空気中の水分を上記第１の吸着熱交換器（56）に吸着させて上記第２の吸着熱交換器（57）から水分を脱離させる運転と、空気中の水分を上記第２の吸着熱交換器（57）に吸着させて上記第１の吸着熱交換器（56）から水分を脱離させる運転とを交互に繰り返す一方、
上記冷媒回路（40）の全体を収納するケーシング（60）が設けられ、
上記ケーシング（60）は、屋内に連通する内気吸込口（61）及び給気口（63）と、屋外に連通する外気吸込口（62）及び排気口（64）とを備えており、
上記第１の吸着熱交換器（56）を通過した空気と上記第２の吸着熱交換器（57）を通過した空気とは、その一方が上記熱源側熱交換器（58）を通過した空気と合流後に排気口（64）から屋外へ排出され、他方が上記空気熱交換器（55）を通過した空気と合流後に給気口（63）から屋内へ供給される空気調和装置。
【請求項２】
熱源側熱交換器（54）と利用側熱交換器とが設けられた冷媒回路（40）で冷媒を循環させて冷凍サイクルを行い、上記利用側熱交換器を通過した空気を屋内へ供給して屋内の顕熱負荷及び潜熱負荷を処理する空気調和装置であって、
上記冷媒回路（40）は、利用側熱交換器が設けられて屋内に配置される屋内回路（42）と、熱源側熱交換器（54）が設けられて屋外に配置される屋外回路（41）と、上記屋内回路（42）と屋外回路（41）を接続する連絡配管（43,44）とによって構成され、
上記冷媒回路（40）には、表面に吸着剤が設けられた第１及び第２の吸着熱交換器（56,57）と、屋内空気を冷媒と熱交換させる空気熱交換器（55）とが利用側熱交換器として接続され、
空気中の水分を上記第１の吸着熱交換器（56）に吸着させて上記第２の吸着熱交換器（57）から水分を脱離させる運転と、空気中の水分を上記第２の吸着熱交換器（57）に吸着させて上記第１の吸着熱交換器（56）から水分を脱離させる運転とを交互に繰り返す一方、
上記屋内回路（42）を収納するケーシング（20）が設けられ、
上記ケーシング（20）内には、上記空気熱交換器（55）の背面側に位置して屋内に連通する給気通路（23）と、第１の吸着熱交換器（56）の背面側に位置する第１空間（21）と、第２の吸着熱交換器（57）の背面側に位置する第２空間（22）と、屋外に連通する排気通路（24）とが形成されており、
上記第１空間（21）が排気通路（24）に連通して上記第２空間（22）が給気通路（23）に連通する状態と、上記第１空間（21）が給気通路（23）に連通して上記第２空間（22）が排気通路（24）に連通する状態とを切り換えるダンパ（33,34,…）を備えている空気調和装置。
【請求項３】
請求項１又は２に記載の空気調和装置において、
屋外から取り込んだ空気を屋内へ供給して屋内の換気を行う空気調和装置。
【請求項４】
請求項１又は２に記載の空気調和装置において、
屋内から取り込んだ空気を屋外へ排出して屋内の換気を行う空気調和装置。
【請求項５】
請求項１又は２に記載の空気調和装置において、
屋外から取り込んだ空気を屋内へ供給すると共に、屋内から取り込んだ空気を屋外へ排出して屋内の換気を行う空気調和装置。
【請求項６】
請求項３又は５に記載の空気調和装置において、
屋外から取り込まれた空気が吸着熱交換器（56,57）を通過後に屋内へ供給される空気調和装置。
【請求項７】
請求項４又は５に記載の空気調和装置において、
屋内から取り込まれた空気が吸着熱交換器（56,57）を通過後に屋外へ排出される空気調和装置。
【請求項８】
請求項４又は５に記載の空気調和装置において、
屋内から取り込まれた空気は、屋外から取り込まれた空気と共に吸着熱交換器（56,57）を通過してから屋外へ排出される空気調和装置。
【請求項９】
請求項１又は２に記載の空気調和装置において、
屋外から取り込まれた空気が吸着熱交換器（56,57）を通過後に屋外へ排出される空気調和装置。
【発明の詳細な説明】
【技術分野】
【０００１】
本発明は、屋内の顕熱負荷と潜熱負荷を処理する空気調和装置に関するものである。
【背景技術】
【０００２】
従来より、特許文献１に開示されているように、屋内の冷房と除湿を行う空気調和装置が知られている。この空気調和装置は、熱源側の室外熱交換器と利用側の室内熱交換器とが設けられた冷媒回路を備え、冷媒回路で冷媒を循環させて冷凍サイクルを行う。そして、上記空気調和装置は、室内熱交換器における冷媒蒸発温度を室内空気の露点温度よりも低く設定し、室内空気中の水分を凝縮させることで屋内の除湿を行っている。
【０００３】
一方、特許文献２に開示されているように、表面に吸着剤が設けられた熱交換器を備えた除湿装置も知られている。この除湿装置は、吸着剤の設けられた熱交換器を２つ備え、それらの一方で空気を除湿して他方を再生する動作を行う。その際、水分を吸着する方の熱交換器には冷却塔で冷却された水が供給され、再生される熱交換器には温排水が供給される。そして、上記除湿装置は、上述の動作によって除湿された空気を屋内へ供給する。
【特許文献１】国際公開第０３／０２９７２８号パンフレット
【特許文献２】特開平７−２６５６４９号公報
【発明の開示】
【発明が解決しようとする課題】
【０００４】
上述のように、特許文献１に記載の空気調和装置では、室内熱交換器での冷媒蒸発温度を室内空気の露点温度よりも低く設定し、空気中の水分を凝縮させることで屋内の潜熱負荷を処理している。つまり、室内熱交換器での冷媒蒸発温度が室内空気の露点温度よりも高くても顕熱負荷の処理は可能だが、潜熱負荷を処理するために室内熱交換器での冷媒蒸発温度を低い値に設定している。このため、冷凍サイクルの高低圧差が大きくなり、圧縮機への入力が嵩んで低いＣＯＰ（成績係数）しか得られないという問題がある。
【０００５】
また、特許文献２に記載の除湿装置では、冷却塔で冷却された冷却水、即ち室内温度に比べてさほど温度の低くない冷却水を熱交換器へ供給している。従って、この除湿装置では、屋内の潜熱負荷は処理できても顕熱負荷を処理できないという問題があった。
【０００６】
本発明は、かかる点に鑑みてなされたものであり、その目的とするところは、屋内の顕熱負荷と潜熱負荷の両方を処理可能で、しかも高いＣＯＰを得られる空気調和装置を提供することにある。
【課題を解決するための手段】
【０００７】
第１の発明は、熱源側熱交換器（54,58）と利用側熱交換器とが設けられた冷媒回路（40）で冷媒を循環させて冷凍サイクルを行い、上記利用側熱交換器を通過した空気を屋内へ供給して屋内の顕熱負荷及び潜熱負荷を処理する空気調和装置を対象としている。そして、上記冷媒回路（40）は、その全体が屋内に配置され、上記冷媒回路（40）には、表面に吸着剤が設けられた第１及び第２の吸着熱交換器（56,57）と、屋内空気を冷媒と熱交換させる空気熱交換器（55）とが利用側熱交換器として接続され、空気中の水分を上記吸着熱交換器（56,57）に吸着させる吸着動作と上記吸着熱交換器（56,57）から水分を脱離させる再生動作とを交互に行うものである。
【０００８】
更に、この第１の発明は、上記冷媒回路（40）の全体を収納するケーシング（60）が設けられ、上記ケーシング（60）は、屋内に連通する内気吸込口（61）及び給気口（63）と、屋外に連通する外気吸込口（62）及び排気口（64）とを備えており、上記第１の吸着熱交換器（56）を通過した空気と上記第２の吸着熱交換器（57）を通過した空気とは、その一方が上記熱源側熱交換器（58）を通過した空気と合流後に排気口（64）から屋外へ排出され、他方が上記空気熱交換器（55）を通過した空気と合流後に給気口（63）から屋内へ供給されるものである。
【０００９】
第２の発明は、熱源側熱交換器（54,58）と利用側熱交換器とが設けられた冷媒回路（40）で冷媒を循環させて冷凍サイクルを行い、上記利用側熱交換器を通過した空気を屋内へ供給して屋内の顕熱負荷及び潜熱負荷を処理する空気調和装置を対象としている。そして、上記冷媒回路（40）は、利用側熱交換器が設けられて屋内に配置される屋内回路（42）と、熱源側熱交換器（54,58）が設けられて屋外に配置される屋外回路（41）と、上記屋内回路（42）と屋外回路（41）を接続する連絡配管（43,44）とによって構成され、上記冷媒回路（40）には、表面に吸着剤が設けられた第１及び第２の吸着熱交換器（56,57）と、屋内空気を冷媒と熱交換させる空気熱交換器（55）とが利用側熱交換器として接続され、空気中の水分を上記吸着熱交換器（56,57）に吸着させる吸着動作と上記吸着熱交換器（56,57）から水分を脱離させる再生動作とを交互に行うものである。
【００１０】
更に、この第２の発明は、上記屋内回路（42）を収納するケーシング（20）が設けられ、上記ケーシング（20）内には、上記空気熱交換器（55）の背面側に位置して屋内に連通する給気通路（23）と、第１の吸着熱交換器（56）の背面側に位置する第１空間（21）と、第２の吸着熱交換器（57）の背面側に位置する第２空間（22）と、屋外に連通する排気通路（24）とが形成されており、上記第１空間（21）が排気通路（24）に連通して上記第２空間（22）が給気通路（23）に連通する状態と、上記第１空間（21）が給気通路（23）に連通して上記第２空間（22）が排気通路（24）に連通する状態とを切り換えるダンパ（33,34,…）を備えているものである。
【００１１】
第３の発明は、上記第１又は第２の発明において、屋外から取り込んだ空気を屋内へ供給して屋内の換気を行うものである。
【００１２】
第４の発明は、上記第１又は第２の発明において、屋内から取り込んだ空気を屋外へ排出して屋内の換気を行うものである。
【００１３】
第５の発明は、上記第１又は第２の発明において、屋外から取り込んだ空気を屋内へ供給すると共に、屋内から取り込んだ空気を屋外へ排出して屋内の換気を行うものである。
【００１４】
第６の発明は、上記第３又は第５の発明において、屋外から取り込まれた空気が吸着熱交換器（56,57）を通過後に屋内へ供給されるものである。
【００１５】
第７の発明は、上記第４又は第５の発明において、屋内から取り込まれた空気が吸着熱交換器（56,57）を通過後に屋外へ排出されるものである。
【００１６】
第８の発明は、上記第４又は第５の発明において、屋内から取り込まれた空気は、屋外から取り込まれた空気と共に吸着熱交換器（56,57）を通過してから屋外へ排出されるものである。
【００１７】
第９の発明は、上記第１又は第２の発明において、屋外から取り込まれた空気が吸着熱交換器（56,57）を通過後に屋外へ排出されるものである。
【００１８】
−作用−
上記第１及び第２の発明では、空気調和装置（10）の冷媒回路（40）に熱源側熱交換器（54,58）と利用側熱交換器とが設けられる。また、冷媒回路（40）には、第１及び第２の吸着熱交換器（56,57）が利用側熱交換器として設けられる。これらの吸着熱交換器（56,57）を通過する空気は、その絶対湿度が吸着剤との接触によって調節される。具体的に、吸着熱交換器（56,57）の吸着剤に空気中の水分を吸着させれる吸着動作を行えば、空気が除湿される。一方、吸着熱交換器（56,57）の吸着剤から水分を脱離させる再生動作を行えば、その脱離した水分によって空気が加湿される。空気調和装置（10）は、冷媒回路（40）で冷媒を循環させて冷凍サイクルを行い、利用側熱交換器を通過した空気を屋内へ供給して屋内の顕熱負荷及び潜熱負荷を処理する。
【００１９】
また、上記第１及び第２の発明では、吸着熱交換器（56,57）と空気熱交換器（55,59）の両方が利用側熱交換器として冷媒回路（40）に設けられる。空気熱交換器（55,59）を通過する空気は、その温度が冷媒との熱交換によって調節される。
【００２０】
上述したように、上記第１及び第２の発明では、第１の吸着熱交換器（56）と第２の吸着熱交換器（57）とが冷媒回路（40）に利用側熱交換器として設けられる。空気調和装置（10）では、第１の吸着熱交換器（56）についての吸着動作と第２の吸着熱交換器（57）についての再生動作とを並行して行う運転と、第１の吸着熱交換器（56）についての再生動作と第２の吸着熱交換器（57）についての吸着動作とを並行して行う運転とが交互に繰り返される。吸着動作の対象である吸着熱交換器（56,57）を通過した空気を屋内に供給すれば、除湿された空気が屋内へ連続して流入する。一方、再生動作の対象である吸着熱交換器（56,57）を通過した空気を屋内に供給すれば、加湿された空気が屋内へ連続して流入する。
【００２１】
上記第１の発明では、冷媒回路（40）の全体が屋内か屋外のどちらかに配置される。つまり、吸着熱交換器（56,57）を含む利用側熱交換器だけでなく、熱源側熱交換器（54,58）も屋内か屋外の何れか一方に設置される。
【００２２】
上記第２の発明では、屋内の屋内回路（42）と屋外の屋外回路（41）を連絡配管（43,44）で接続することによって冷媒回路（40）が構成される。屋内回路（42）には利用側熱交換器が設けられ、屋外回路（41）には熱源側熱交換器（54,58）が設けられる。つまり、吸着熱交換器（56,57）を含む利用側熱交換器が屋内に設置され、熱源側熱交換器（54,58）が屋外に設置される。
【００２３】
上記第３の発明では、空気調和装置（10）が屋外から取り込んだ空気を屋内へ供給する。このように屋外から屋内への給気が空気調和装置（10）により行われる一方、屋内からの排気は自然排気により行われ、いわゆる第２種換気が行われる。
【００２４】
上記第４の発明では、空気調和装置（10）が屋内から取り込んだ空気を屋外へ排出する。このように屋内から屋外への排気が空気調和装置（10）により行われる一方、屋外からの給気は自然給気により行われ、いわゆる第３種換気が行われる。
【００２５】
上記第５の発明では、屋外から屋内への給気と屋内から屋外への排出の両方を空気調和装置（10）が行う。つまり、空気調和装置（10）によって、いわゆる第１種換気が行われる。
【００２６】
上記第６の発明では、屋外から屋内へ向かう空気が吸着熱交換器（56,57）を通過する。つまり、屋外から取り込まれた空気は、吸着熱交換器（56,57）との間で水分の授受を行ってから屋内へ供給される。
【００２７】
上記第７の発明では、屋内から屋外へ向かう空気が吸着熱交換器（56,57）を通過する。つまり、屋内から取り込まれた空気は、吸着熱交換器（56,57）との間で水分の授受を行ってから屋外へ排出される。
【００２８】
上記第８の発明では、屋内から取り込まれた空気と屋外から取り込まれた空気の両方が吸着熱交換器（56,57）を通過する。つまり、吸着熱交換器（56,57）を通過して屋外へ送り出される空気の流量は、屋内から屋外への排気量よりも多くなる。
【００２９】
上記第９の発明では、屋外から取り込んだ空気が吸着熱交換器（56,57）を通過後に屋外へ排出される。つまり、屋外から取り込まれた空気は、吸着熱交換器（56,57）を通過後に再び屋外へ送り返される。
【発明の効果】
【００３０】
本発明では、冷媒回路（40）に利用側熱交換器として吸着熱交換器（56,57）を設け、この吸着熱交換器（56,57）を通過させることによって空気の絶対湿度を調節している。つまり、従来のように空気中の水分を凝縮させて空気を除湿するのではなく、空気中の水分を吸着剤に吸着させて空気を除湿している。従って、従来のように冷凍サイクルの冷媒蒸発温度を空気の露点温度よりも低く設定する必要が無く、冷媒蒸発温度を空気の露点温度以上に設定しても空気の除湿が可能となる。このため、本発明によれば、空気を除湿する場合も冷凍サイクルの冷媒蒸発温度を従来よりも高く設定することができ、冷凍サイクルの高低圧差を縮小することができる。この結果、冷媒の圧縮に要する動力を削減することが可能となり、冷凍サイクルのＣＯＰを向上させることができる。
【００３１】
特に、上記第１の発明では、冷媒回路（40）の全体を屋内又は屋外の何れかに設置している。このため、空気調和装置（10）の据付時に現地で冷媒配管を接続する作業が不要となり、その設置作業の工数を削減できる。また、上記第２の発明では、熱源側熱交換器（54,58）を屋外に配置している。このため、屋内側のユニットには利用側熱交換器を収納すればよいこととなり、この屋内側のユニットを小型化できる。
【００３２】
また、上記第１及び第２の発明では、冷媒回路（40）に空気熱交換器（55,59）が設けられ、この空気熱交換器（55,59）を通過することで空気の温度が調節される。このため、吸着熱交換器（56,57）では主として空気の絶対湿度を調節し、空気熱交換器（55,59）では主として空気の温度を調節すればよいこととなる。従って、この発明によれば、屋内へ供給される空気の温度と絶対湿度を適切に調節することができ、屋内の顕熱負荷及び潜熱負荷の処理を確実に行うことができる。
【００３３】
また、上記第１及び第２の発明では、第１及び第２の吸着熱交換器（56,57）を冷媒回路（40）に利用側熱交換器として設け、それらの一方についての吸着動作と他方についての再生動作とを並行して行っている。従って、この発明によれば、吸着動作の対象である吸着熱交換器（56,57）又は再生動作の対象である吸着熱交換器（56,57）を通過した空気を屋内へ供給することで、除湿され又は加湿された空気を屋内へ連続的に供給することが可能となる。
【００３４】
上記第３〜第７の各発明によれば、屋内の顕熱負荷及び潜熱負荷の処理に加えて屋内の換気も行うことができる。特に、上記第６の発明によれば、屋外から屋内へ供給される空気の絶対湿度を吸着熱交換器（56,57）で調節することができ、換気に伴う屋内空気の湿度変化を抑制できる。また、上記第７の発明によれば、屋内から屋外への排気を吸着熱交換器（56,57）の再生に利用したり、この排気中の水分を吸着熱交換器（56,57）に吸着させたりすることが可能となる。
【００３５】
上記第８の発明では、屋内から取り込まれた空気と屋外から取り込まれた空気の両方を吸着熱交換器（56,57）へ供給している。このため、屋内から屋外への排気量は一定に保ちつつ吸着熱交換器（56,57）の通過風量だけを増大させることができ、吸着熱交換器（56,57）が吸着する水分量や吸着熱交換器（56,57）から脱離する水分量を充分に確保できる。
【００３６】
上記第９の発明では、屋外から取り込んだ空気が吸着熱交換器（56,57）を通過後に屋外へ排出される。ここで、屋内から屋外へ排出される空気や屋外から屋内へ供給される空気だけが吸着熱交換器（56,57）を通過する場合には、必要とされる換気量によって吸着熱交換器（56,57）の通過風量が制約され、充分な調湿能力を得られないおそれがある。これに対し、この発明では、吸着熱交換器（56,57）の通過風量を換気量とは無関係に設定でき、必要な調湿能力を確実に得ることができる。
【発明を実施するための最良の形態】
【００３７】
以下、本発明の実施形態を図面に基づいて詳細に説明する。
【００３８】
《発明の実施形態１》
本発明の実施形態１について説明する。本実施形態の空気調和装置（10）は、冷媒回路（40）で冷媒を循環させて蒸気圧縮冷凍サイクルを行い、室内の顕熱負荷と潜熱負荷の両方を処理するものである。
【００３９】
図１に示すように、上記空気調和装置（10）は、いわゆるセパレート型に構成されており、室内ユニット（11）と室外ユニット（12）を備えている。室内ユニット（11）は、室内熱交換器（55）と第１吸着熱交換器（56）と第２吸着熱交換器（57）とを備え、屋内に設置されている。この室内ユニット（11）は、いわゆる壁掛け型に構成されており、室内の壁面に取り付けられている。一方、室外ユニット（12）は、室外熱交換器（54）を備え、屋外に設置されている。
【００４０】
図２に示すように、室内ユニット（11）と室外ユニット（12）は、ガス側連絡配管（43）及び液側連絡配管（44）によって互いに接続されている。室外ユニット（12）の室外ケーシング（13）には、室外熱交換器（54）の他に圧縮機（50）や室外ファン（14）が収納されている。
【００４１】
室内ユニット（11）は、横長の箱状に形成された室内ケーシングを備えている。室内ケーシング（20）では、その前面に室内熱交換器（55）と第１吸着熱交換器（56）と第２吸着熱交換器（57）とが配置されている。具体的に、室内ケーシング（20）の前面の上部には、第１吸着熱交換器（56）と第２吸着熱交換器（57）とが左右に並んで配置されている。室内ケーシング（20）を前面側から見た状態で、第１吸着熱交換器（56）は左寄りに、第２吸着熱交換器（57）は右寄りにそれぞれ設置されている。室内ケーシング（20）の前面において、第１吸着熱交換器（56）及び第２吸着熱交換器（57）の下方には室内熱交換器（55）が配置され、室内熱交換器（55）の下方には吹出口（26）が開口している。
【００４２】
室内ケーシング（20）の内部空間は、前面側と背面側に仕切られている。室内ケーシング（20）内の背面側の空間は、排気通路（24）を構成している。室内ケーシング（20）内の前面側の空間は、上下に仕切られている。この前面側の空間のうち下側の空間は、室内熱交換器（55）の背面側に位置しており、給気通路（23）を構成している。一方、前面側の空間のうち上側の空間は、更に左右に仕切られている。そして、左側の第１吸着熱交換器（56）の背面側に位置する方が第１空間（21）を、右側の第２吸着熱交換器（57）の背面側に位置する方が第２空間（22）をそれぞれ構成している。
【００４３】
室内ケーシング（20）内の排気通路（24）には、排気ファン（32）が収納されている。また、排気通路（24）には、室外に開口する排気ダクト（25）が接続されている。一方、給気通路（23）には、室内ファン（31）が収納されている。この給気通路（23）は、吹出口（26）に連通している。
【００４４】
室内ケーシング（20）には、開閉式のダンパ（33〜36）が４つ設けられている。具体的に、第１空間（21）と給気通路（23）の仕切りには第１給気ダンパ（33）が、第１空間（21）と排気通路（24）の仕切りには第１排気ダンパ（34）がそれぞれ設けられている。また、第２空間（22）と給気通路（23）の仕切りには第２給気ダンパ（35）が、第２空間（22）と排気通路（24）の仕切りには第２排気ダンパ（36）がそれぞれ設けられている。
【００４５】
図３及び図４に示すように、上記冷媒回路（40）には、圧縮機（50）と電動膨張弁（53）とが１つずつ設けられ、四方切換弁（51,52）が２つ設けられている。また、冷媒回路（40）には、室外熱交換器（54）と室内熱交換器（55）とが１つずつ設けられ、吸着熱交換器（56,57）が２つ設けられている。この冷媒回路（40）では、室外熱交換器（54）が熱源側熱交換器を、室内熱交換器（55）と第１及び第２吸着熱交換器（56,57）とが利用側熱交換器をそれぞれ構成している。
【００４６】
上記冷媒回路（40）の構成について説明する。圧縮機（50）は、その吐出側が第１四方切換弁（51）の第１のポートに、その吸入側が第１四方切換弁（51）の第２のポートにそれぞれ接続されている。室外熱交換器（54）は、その一端が第１四方切換弁（51）の第３のポートに、他端が第２四方切換弁（52）の第１のポートにそれぞれ接続されている。室内熱交換器（55）は、その一端が第１四方切換弁（51）の第４のポートに、他端が第２四方切換弁（52）の第２のポートにそれぞれ接続されている。この冷媒回路（40）では、第２四方切換弁（52）の第３のポートから第４のポートへ向かって順に、第１吸着熱交換器（56）と電動膨張弁（53）と第２吸着熱交換器（57）とが配置されている。
【００４７】
上記冷媒回路（40）のうち、圧縮機（50）と第１四方切換弁（51）と室外熱交換器（54）とが設けられた部分は、屋外回路（41）を構成して室外ユニット（12）に収納されている。一方、冷媒回路（40）のうち、室内熱交換器（55）と第１及び第２吸着熱交換器（56,57）と電動膨張弁（53）と第２四方切換弁（52）とが設けられた部分は、屋内回路（42）を構成して室内ユニット（11）に収納されている。屋内回路（42）の第２四方切換弁（52）側の端部は、屋外回路（41）の室外熱交換器（54）側の端部に液側連絡配管（44）を介して接続されている。屋内回路（42）の室内熱交換器（55）側の端部は、屋外回路（41）の第１四方切換弁（51）側の端部にガス側連絡配管（43）を介して接続されている。
【００４８】
室外熱交換器（54）、室内熱交換器（55）、及び各吸着熱交換器（56,57）は、何れも伝熱管と多数のフィンとで構成されたクロスフィン形のフィン・アンド・チューブ熱交換器である。このうち、吸着熱交換器（56,57）では、そのフィンの表面に吸着材が担持されている。この吸着材としては、ゼオライトやシリカゲル等が用いられる。一方、室外熱交換器（54）及び室内熱交換器（55）は、それぞれのフィンの表面に吸着材が担持されておらず、空気と冷媒の熱交換だけを行う。このように、室内熱交換器（55）は、空気と冷媒の熱交換だけを行う空気熱交換器を構成している。
【００４９】
上記第１四方切換弁（51）は、第１のポートと第３のポートが互いに連通して第２のポートと第４のポートが互いに連通する第１状態（図３に示す状態）と、第１のポートと第４のポートが互いに連通して第２のポートと第３ポートが互いに連通する第２状態（図４に示す状態）とに切り換わる。一方、上記第２四方切換弁（52）は、第１のポートと第３のポートが互いに連通して第２のポートと第４のポートが互いに連通する第１状態（図３(Ａ)及び図４(Ｂ)に示す状態）と、第１のポートと第４のポートが互いに連通して第２のポートと第３ポートが互いに連通する第２状態（図３(Ｂ)及び図４(Ａ)に示す状態）とに切り換わる。
【００５０】
−運転動作−
本実施形態の空気調和装置（10）では、除湿冷房運転と加湿暖房運転とが行われる。
【００５１】
この空気調和装置（10）において、室内ファン（31）及び排気ファン（32）を運転すると、室内熱交換器（55）、第１吸着熱交換器（56）、及び第２吸着熱交換器（57）のそれぞれへ室内空気が流入する。また、室外ファン（14）を運転すると、室外熱交換器（54）へ室外空気が流入する。
【００５２】
〈除湿冷房運転〉
除湿冷房運転中の動作について、図３，図５及び図６を参照しながら説明する。
【００５３】
図３に示すように、冷媒回路（40）では、第１四方切換弁（51）が第１状態に設定されると共に電動膨張弁（53）の開度が適宜調節され、室外熱交換器（54）が凝縮器となって室内熱交換器（55）が蒸発器となる。そして、図５及び図６に示すように、室内熱交換器（55）で冷却された室内空気が給気通路（23）を通って吹出口（26）から室内へ送り返される一方、室外熱交換器（54）で冷媒から吸熱した室外空気が室外へ排出される。
【００５４】
除湿冷房運転中には、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。
【００５５】
第１動作では、第１吸着熱交換器（56）についての再生動作と、第２吸着熱交換器（57）についての吸着動作とが並行して行われる。第１動作中は、図３(Ａ)に示すように、第２四方切換弁（52）が第１状態に設定される。この状態で、圧縮機（50）から吐出された冷媒は、室外熱交換器（54）と第１吸着熱交換器（56）を順に通過する間に凝縮し、電動膨張弁（53）で減圧され、その後、第２吸着熱交換器（57）と室内熱交換器（55）を順に通過する間に蒸発し、圧縮機（50）へ吸入されて圧縮される。
【００５６】
第１動作中には、図５に示すように、第１排気ダンパ（34）及び第２給気ダンパ（35）が開状態となり、第１給気ダンパ（33）及び第２排気ダンパ（36）が閉状態となる。第１吸着熱交換器（56）では、冷媒で加熱された吸着材から水分が脱離し、この脱離した水分が空気に付与される。第１吸着熱交換器（56）から脱離した水分は、室内空気と共に第１空間（21）から第１排気ダンパ（34）を通って排気通路（24）へ流入し、排気ダクト（25）を通って室外へ排出される。第２吸着熱交換器（57）では、室内空気中の水分が吸着材に吸着されて室内空気が除湿され、その際に生じた吸着熱が冷媒に吸熱される。第２吸着熱交換器（57）で除湿された室内空気は、第２空間（22）から第２給気ダンパ（35）を通って給気通路（23）へ流入し、吹出口（26）を通って室内へ送り返される。
【００５７】
第２動作では、第１吸着熱交換器（56）についての吸着動作と、第２吸着熱交換器（57）についての再生動作とが並行して行われる。第２動作中は、図３(Ｂ)に示すように、第２四方切換弁（52）が第２状態に設定される。この状態で、圧縮機（50）から吐出された冷媒は、室外熱交換器（54）と第２吸着熱交換器（57）を順に通過する間に凝縮し、電動膨張弁（53）で減圧され、その後、第１吸着熱交換器（56）と室内熱交換器（55）を順に通過する間に蒸発し、圧縮機（50）へ吸入されて圧縮される。
【００５８】
第２動作中には、図６に示すように、第１給気ダンパ（33）及び第２排気ダンパ（36）が開状態となり、第１排気ダンパ（34）及び第２給気ダンパ（35）が閉状態となる。第１吸着熱交換器（56）では、室内空気中の水分が吸着材に吸着されて室内空気が除湿され、その際に生じた吸着熱が冷媒に吸熱される。第１吸着熱交換器（56）で除湿された室内空気は、第１空間（21）から第１給気ダンパ（33）を通って給気通路（23）へ流入し、吹出口（26）を通って室内へ送り返される。第２吸着熱交換器（57）では、冷媒で加熱された吸着材から水分が脱離し、この脱離した水分が空気に付与される。第２吸着熱交換器（57）から脱離した水分は、室内空気と共に第２空間（22）から第２排気ダンパ（36）を通って排気通路（24）へ流入し、排気ダクト（25）を通って室外へ排出される。
【００５９】
〈加湿暖房運転〉
加湿暖房運転中の動作について、図４，図７及び図８を参照しながら説明する。
【００６０】
図４に示すように、冷媒回路（40）では、第１四方切換弁（51）が第２状態に設定されると共に電動膨張弁（53）の開度が適宜調節され、室内熱交換器（55）が凝縮器となって室外熱交換器（54）が蒸発器となる。そして、図７及び図８に示すように、室内熱交換器（55）で加熱された室内空気が給気通路（23）を通って吹出口（26）から室内へ送り返され、室外熱交換器（54）で冷媒へ放熱した室外空気が室外へ排出される。
【００６１】
加湿暖房運転中には、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。
【００６２】
第１動作では、第１吸着熱交換器（56）についての再生動作と、第２吸着熱交換器（57）についての吸着動作とが並行して行われる。第１動作中は、図４(Ａ)に示すように、第２四方切換弁（52）が第２状態に設定される。この状態で、圧縮機（50）から吐出された冷媒は、室内熱交換器（55）と第１吸着熱交換器（56）を順に通過する間に凝縮し、電動膨張弁（53）で減圧され、その後、第２吸着熱交換器（57）と室外熱交換器（54）を順に通過する間に蒸発し、圧縮機（50）へ吸入されて圧縮される。
【００６３】
第１動作中には、図７に示すように、第１給気ダンパ（33）及び第２排気ダンパ（36）が開状態となり、第１排気ダンパ（34）及び第２給気ダンパ（35）が閉状態となる。第１吸着熱交換器（56）では、冷媒で加熱された吸着材から水分が脱離し、この脱離した水分が空気に付与される。第１吸着熱交換器（56）で加湿された室内空気は、第１空間（21）から第１給気ダンパ（33）を通って給気通路（23）へ流入し、吹出口（26）を通って室内へ送り返される。第２吸着熱交換器（57）では、室内空気中の水分が吸着材に吸着されて室内空気が除湿され、その際に生じた吸着熱が冷媒に吸熱される。第２吸着熱交換器（57）で水分を奪われた室内空気は、第２空間（22）から第２排気ダンパ（36）を通って排気通路（24）へ流入し、排気ダクト（25）を通って室外へ排出される。
【００６４】
第２動作では、第１吸着熱交換器（56）についての吸着動作と、第２吸着熱交換器（57）についての再生動作とが並行して行われる。第２動作中は、図４(Ｂ)に示すように、第２四方切換弁（52）が第１状態に設定される。この状態で、圧縮機（50）から吐出された冷媒は、室内熱交換器（55）と第２吸着熱交換器（57）を順に通過する間に凝縮し、続いて電動膨張弁（53）で減圧され、その後、第１吸着熱交換器（56）と室外熱交換器（54）を順に通過する間に蒸発し、圧縮機（50）へ吸入されて圧縮される。
【００６５】
第２動作中には、図８に示すように、第１排気ダンパ（34）及び第２給気ダンパ（35）が開状態となり、第１給気ダンパ（33）及び第２排気ダンパ（36）が閉状態となる。第１吸着熱交換器（56）では、室内空気中の水分が吸着材に吸着されて室内空気が除湿され、その際に生じた吸着熱が冷媒に吸熱される。第１吸着熱交換器（56）で水分を奪われた室内空気は、第１空間（21）から第１排気ダンパ（34）を通って排気通路（24）へ流入し、排気ダクト（25）を通って室外へ排出される。第２吸着熱交換器（57）では、冷媒で加熱された吸着材から水分が脱離し、この脱離した水分が室内空気に付与される。第２吸着熱交換器（57）で加湿された室内空気は、第２空間（22）から第２給気ダンパ（35）を通って給気通路（23）へ流入し、吹出口（26）を通って室内へ送り返される。
【００６６】
−実施形態１の効果−
本実施形態では、冷媒回路（40）に利用側熱交換器として吸着熱交換器（56,57）を設け、この吸着熱交換器（56,57）を通過させることによって空気の絶対湿度を調節している。つまり、従来のように空気中の水分を凝縮させて空気を除湿するのではなく、空気中の水分を吸着材に吸着させて空気を除湿している。このため、従来のように冷凍サイクルの冷媒蒸発温度を空気の露点温度よりも低く設定する必要が無く、冷媒蒸発温度を空気の露点温度以上に設定しても空気の除湿が可能となる。
【００６７】
従って、本実施形態によれば、空気を除湿する際に冷凍サイクルの冷媒蒸発温度を従来よりも高く設定することができ、冷凍サイクルの高低圧差を縮小することができる。この結果、圧縮機（50）の消費電力を削減することが可能となり、冷凍サイクルのＣＯＰを向上させることができる。
【００６８】
また、本実施形態では、室内ユニット（11）を壁掛け型に構成し、その室内ユニット（11）に第１吸着熱交換器（56）及び第２吸着熱交換器（57）を配置している。従って、何れかの吸着熱交換器（56,57）を通過した空気を室外へ排出するための排気ダクト（25）は、その長さが室内の壁面を貫通可能な程度のものであればよく、この排気ダクト（25）として比較的長さの短いものを用いることができる。
【００６９】
また、本実施形態では、空気調和装置によって室内からの排気を行っている。従って、室内への給気を自然給気によって行えば、いわゆる第３種換気が可能となる。
【００７０】
−実施形態１の変形例１−
上述のように、本実施形態では、第１吸着熱交換器（56）と第２吸着熱交換器（57）の両方へ室内空気を導入している（図１参照）。そして、除湿冷房運転中であれば、両吸着熱交換器（56,57）のうち蒸発器となっている方を通過した空気を室内へ供給し、凝縮器となっている方を通過した空気を室外へ排出している。また、加湿暖房運転中であれば、両吸着熱交換器（56,57）のうち凝縮器となっている方を通過した空気を室内へ供給し、蒸発器となっている方を通過した空気を室外へ排出している。
【００７１】
これに対し、図９に示すように、第１吸着熱交換器（56）と第２吸着熱交換器（57）の一方へ室内空気を導入して他方へ室外空気を導入してもよい。本変形例の場合、除湿冷房運転中であれば、両吸着熱交換器（56,57）のうち蒸発器となっている方を通過した室外空気を室内へ供給し、凝縮器となっている方を通過した室内空気を室外へ排出する。また、加湿暖房運転中であれば、両吸着熱交換器（56,57）のうち凝縮器となっている方を通過した室外空気を室内へ供給し、蒸発器となっている方を通過した室内空気を室外へ排出する。
【００７２】
−実施形態１の変形例２−
本実施形態では、室内ユニット（11）を次のように構成してもよい。ここでは、本変形例の室内ユニット（11）について説明する。
【００７３】
図１０に示すように、室内ユニット（11）は、横長の箱状に形成された室内ケーシング（20）を備えている。この室内ケーシング（20）の上面から前面に亘る部分は、連続した曲面によって構成されており、そのほぼ全てが吸込口（27）となっている。
【００７４】
室内ケーシング（20）の内部は、前面側と背面側とに仕切られている。室内ケーシング（20）内の前面側の空間は、その内部に室内熱交換器（55）が収納されている。この室内熱交換器（55）は、２つの部分から構成され、室内ケーシング（20）の湾曲した前面に沿うように設置されている。また、この前面側の空間は、その内部に室内ファン（31）が収納されると共に吹出口（26）と連通し、給気通路（23）を構成している。
【００７５】
室内ケーシング（20）内の背面側の空間は、更に上下に仕切られている。この背面側の空間のうち下側の部分は、室外に開口する排気ダクト（25）に対して排気ファン（32）を介して接続されている。この背面側の空間のうち上側の部分は、更に左右に仕切られており、室内ケーシング（20）の背面側から見て右側の部分が第１空間（21）を、左側の部分が第２空間（22）をそれぞれ構成している。第１空間（21）には第１吸着熱交換器（56）が、第２空間（22）には第２吸着熱交換器（57）がそれぞれ収納されている。第１吸着熱交換器（56）及び第２吸着熱交換器（57）は、それぞれ室内ケーシング（20）の背面側から前面側へ傾斜する姿勢で設置されている。
【００７６】
室内ケーシング（20）には、回動式の切換ダンパ（37,38）が２つ設けられている。具体的に、２つの切換ダンパ（37,38）は、左右に並んで設置されている。第１切換ダンパ（37）は、第１空間（21）が給気通路（23）と連通して排気通路（24）から遮断される第１状態（図１０に破線で示す状態）と、第１空間（21）が排気通路（24）と連通して給気通路（23）から遮断される第２状態（図１０に実線で示す状態）とに切り換わる。第２切換ダンパ（38）は、第２空間（22）が給気通路（23）と連通して排気通路（24）から遮断される第１状態（図１０に実線で示す状態）と、第２空間（22）が排気通路（24）と連通して給気通路（23）から遮断される第２状態（図１０に破線で示す状態）とに切り換わる。
【００７７】
上述のように、除湿冷房運転の第１動作中や加湿暖房運転の第２動作中には、第１吸着熱交換器（56）を通過した室内空気が室外へ排出され、第２吸着熱交換器（57）を通過した室内空気が室内へ送り返される。この場合、本変形例の室内ユニット（11）では、図１１に示すように、第１切換ダンパ（37）が第１状態に設定され、第２切換ダンパ（38）が第２状態に設定される。第１吸着熱交換器（56）を通過した室内空気は、第１空間（21）から排気通路（24）へ流入し、排気ダクト（25）を通って室外へ排出される。第２吸着熱交換器（57）を通過した室内空気は、第２空間（22）から給気通路（23）へ流入し、吹出口（26）から室内へ供給される。
【００７８】
また、除湿冷房運転の第２動作中や加湿暖房運転の第１動作中には、第１吸着熱交換器（56）を通過した室内空気が室内へ送り返され、第２吸着熱交換器（57）を通過した室内空気が室外へ排出される。この場合、本変形例の室内ユニット（11）では、図１２に示すように、第１切換ダンパ（37）が第２状態に設定され、第２切換ダンパ（38）が第１状態に設定される。第１吸着熱交換器（56）を通過した室内空気は、第１空間（21）から給気通路（23）へ流入し、吹出口（26）から室内へ供給される。第２吸着熱交換器（57）を通過した室内空気は、第２空間（22）から排気通路（24）へ流入し、排気ダクト（25）を通って室外へ排出される。
【００７９】
《発明の実施形態２》
本発明の実施形態２について説明する。上記実施形態１の空気調和装置（10）は室内ユニット（11）と室外ユニット（12）を備えるセパレート型に構成されているが、本実施形態の空気調和装置（10）は全ての構成機器が１つの本体ケーシング（60）に収納される一体型に構成されている。ここでは、本実施形態の空気調和装置（10）について、上記実施形態１と異なる点を説明する。
【００８０】
図１３に示すように、本実施形態の空気調和装置（10）は、家屋等の屋根裏空間に設置されており、ダクトを介して室内空間や室外空間に接続されている。この空気調和装置（10）では、屋根裏空間に設置された本体ケーシング（60）内に冷媒回路（40）の全体が収納されている。つまり、本実施形態の冷媒回路（40）は、その全体が屋内に配置されている。
【００８１】
上記冷媒回路（40）では、上記実施形態１の室外熱交換器（54）に代えて排気側熱交換器（58）が、上記実施形態１の室内熱交換器（55）に代えて給気側熱交換器（59）が設けられている。そして、排気側熱交換器（58）が熱源側熱交換器を、給気側熱交換器（59）が利用側熱交換器をそれぞれ構成している。
【００８２】
尚、本実施形態の排気側熱交換器（58）及び給気側熱交換器（59）は、上記実施形態１の室外熱交換器（54）及び室内熱交換器（55）と同様に、表面に吸着剤が担持されない一般的なクロスフィン形のフィン・アンド・チューブ熱交換器である。また、本実施形態の冷媒回路（40）にも２つの吸着熱交換器（56,57）が設けられており、これら吸着熱交換器（56,57）の構成は上記実施形態１のものと同様である。
【００８３】
本実施形態の空気調和装置（10）について、図１４を参照しながら説明する。尚、以下の説明で用いる「右」「左」「上」「下」は、何れも上記空気調和装置（10）を前面側から見た場合のものを意味している。
【００８４】
上記空気調和装置（10）は、扁平な直方体状の本体ケーシング（60）を備えている。本体ケーシング（60）の前面には、右寄りの位置に排気口（64）が、左寄りの位置に給気口（63）がそれぞれ開口している。本体ケーシング（60）の背面には、右寄りの位置に外気吸込口（62）が、左寄りの位置に内気吸込口（61）がそれぞれ開口している。
【００８５】
本体ケーシング（60）の内部空間は、前面側と背面側の２つに仕切られている。本体ケーシング（60）内の前面側の空間は、更に左右に３つに仕切られている。そのうち、右側の空間は排気口（64）に連通して内部に排気ファン（71）が収納され、左側の空間は給気口（63）に連通して内部に給気ファン（70）が収納され、中央の空間は内部に冷媒回路（40）の圧縮機（50）が収納されている。
【００８６】
本体ケーシング（60）内の背面側の空間もまた、左右に３つに仕切られている。そのうち、右側の空間は、上下に仕切られており、上側の空間が右上通路（65）を、下側の空間が右下通路（66）をそれぞれ構成している。右上通路（65）及び右下通路（66）は、それぞれが外気吸込口（62）に連通している。右上通路（65）には、排気側熱交換器（58）が設置されている。一方、左側の空間は、上下に仕切られており、上側の空間が左上通路（67）を、下側の空間が左下通路（68）をそれぞれ構成している。左上通路（67）及び左下通路（68）は、それぞれが内気吸込口（61）に連通している。左上通路（67）には、給気側熱交換器（59）が設置されている。
【００８７】
左右に仕切られた本体ケーシング（60）内の背面側の空間のうち、中央の空間は、前後に仕切られている。この前後に仕切られた中央の空間のうち、背面側の空間には第１吸着熱交換器（56）が、前面側の空間には第２吸着熱交換器（57）がそれぞれ収納されている。第１吸着熱交換器（56）及び第２吸着熱交換器（57）は、収納された空間を上下に仕切るように、ほぼ水平姿勢で設置されている。
【００８８】
本体ケーシング（60）内の背面側を左右に仕切る２枚の仕切板には、それぞれに開閉式のダンパ（72〜79）が４つずつ設けられている。
【００８９】
右側の仕切板において、その上部には第１右上ダンパ（72）と第２右上ダンパ（73）が並んで設置され、その下部には第１右下ダンパ（74）と第２右下ダンパ（75）が並んで設置される。第１右上ダンパ（72）を開くと右上通路（65）が第１吸着熱交換器（56）の上側の空間と連通し、第２右上ダンパ（73）を開くと右上通路（65）が第２吸着熱交換器（57）の上側の空間と連通する。第１右下ダンパ（74）を開くと右下通路（66）が第１吸着熱交換器（56）の下側の空間と連通し、第２右下ダンパ（75）を開くと右下通路（66）が第２吸着熱交換器（57）の下側の空間と連通する。
【００９０】
左側の仕切板において、その上部には第１左上ダンパ（76）と第２左上ダンパ（77）が並んで設置され、その下部には第１左下ダンパ（78）と第２左下ダンパ（79）が並んで設置される。第１左上ダンパ（76）を開くと左上通路（67）が第１吸着熱交換器（56）の上側の空間と連通し、第２左上ダンパ（77）を開くと左上通路（67）が第２吸着熱交換器（57）の上側の空間と連通する。第１左下ダンパ（78）を開くと左下通路（68）が第１吸着熱交換器（56）の下側の空間と連通し、第２左下ダンパ（79）を開くと左下通路（68）が第２吸着熱交換器（57）の下側の空間と連通する。
【００９１】
−運転動作−
本実施形態の空気調和装置（10）では、除湿冷房運転と加湿暖房運転とが行われる。
【００９２】
この空気調和装置（10）において、給気ファン（70）及び排気ファン（71）を運転すると、内気吸込口（61）へ室内空気が流入し、外気吸込口（62）へ室外空気が流入する。内気吸込口（61）へ流入した室内空気は、その一部が左下通路（68）へ導入され、残りが左上通路（67）へ導入される。外気吸込口（62）へ流入した室外空気は、その一部が右下通路（66）へ導入され、残りが右上通路（65）へ導入される。
【００９３】
〈除湿冷房運転〉
除湿冷房運転中の動作について、図１５及び図１６を参照しながら説明する。
【００９４】
除湿冷房運転における冷媒回路（40）の動作は、上記実施形態１と同様である（図３参照）。つまり、冷媒回路（40）では、排気側熱交換器（58）が凝縮器となって給気側熱交換器（59）が蒸発器となる。左上通路（67）へ流入した室内空気は、給気側熱交換器（59）を通過する間に冷却され、その後に給気ファン（70）を通過して給気口（63）から室内へ送り返される。右上通路（65）へ流入した室外空気は、排気側熱交換器（58）を通過する間に冷媒から吸熱し、その後に排気ファン（71）を通過して排気口（64）から室外へ排出される。
【００９５】
また、冷媒回路（40）では、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。この点も上記実施形態１と同様である。
【００９６】
第１動作中には、図１５に示すように、第１右上ダンパ（72）及び第２右下ダンパ（75）が開状態となり、第１右下ダンパ（74）及び第２右上ダンパ（73）が閉状態となる。また、第１左下ダンパ（78）及び第２左上ダンパ（77）が開状態となり、第１左上ダンパ（76）及び第２左下ダンパ（79）が閉状態となる。
【００９７】
左下通路（68）へ流入した室内空気は、第１左下ダンパ（78）を通って第１吸着熱交換器（56）の下側へ流入し、第１吸着熱交換器（56）を下から上へ向かって通過する。第１吸着熱交換器（56）では、冷媒で加熱された吸着材から水分が脱離し、この脱離した水分が室内空気に付与される。第１吸着熱交換器（56）から脱離した水分は、室内空気と共に第１右上ダンパ（72）を通って右上通路（65）へ流入し、排気ファン（71）を通過後に排気口（64）から室外へ排出される。
【００９８】
右下通路（66）へ流入した室外空気は、第２右下ダンパ（75）を通って第２吸着熱交換器（57）の下側へ流入し、第２吸着熱交換器（57）を下から上へ向かって通過する。第２吸着熱交換器（57）では、室内空気中の水分が吸着材に吸着されて室内空気が除湿され、その際に生じた吸着熱が冷媒に吸熱される。第２吸着熱交換器（57）で除湿された室内空気は、第２左上ダンパ（77）を通って左上通路（67）へ流入し、給気ファン（70）を通過後に給気口（63）から室内へ送り返される。
【００９９】
第２動作中には、図１６に示すように、第１右下ダンパ（74）及び第２右上ダンパ（73）が開状態となり、第１右上ダンパ（72）及び第２右下ダンパ（75）が閉状態となる。また、第１左上ダンパ（76）及び第２左下ダンパ（79）が開状態となり、第１左下ダンパ（78）及び第２左上ダンパ（77）が閉状態となる。
【０１００】
左下通路（68）へ流入した室内空気は、第２左下ダンパ（79）を通って第２吸着熱交換器（57）の下側へ流入し、第２吸着熱交換器（57）を下から上へ向かって通過する。第２吸着熱交換器（57）では、冷媒で加熱された吸着材から水分が脱離し、この脱離した水分が空気に付与される。第２吸着熱交換器（57）から脱離した水分は、室内空気と共に第２右上ダンパ（73）を通って右上通路（65）へ流入し、排気ファン（71）を通過後に排気口（64）から室外へ排出される。
【０１０１】
右下通路（66）へ流入した室外空気は、第１右下ダンパ（74）を通って第１吸着熱交換器（56）の下側へ流入し、第１吸着熱交換器（56）を下から上へ向かって通過する。第１吸着熱交換器（56）では、室内空気中の水分が吸着材に吸着されて室内空気が除湿され、その際に生じた吸着熱が冷媒に吸熱される。第１吸着熱交換器（56）で除湿された室内空気は、第１左上ダンパ（76）を通って左上通路（67）へ流入し、給気ファン（70）を通過後に給気口（63）から室内へ送り返される。
【０１０２】
〈加湿暖房運転〉
加湿暖房運転中の動作について、図１７及び図１８を参照しながら説明する。
【０１０３】
加湿暖房運転における冷媒回路（40）の動作は、上記実施形態１と同様である（図４参照）。つまり、冷媒回路（40）では、給気側熱交換器（59）が凝縮器となって排気側熱交換器（58）が蒸発器となる。左上通路（67）へ流入した室内空気は、給気側熱交換器（59）を通過する間に加熱され、その後に給気ファン（70）を通過して給気口（63）から室内へ送り返される。右上通路（65）へ流入した室外空気は、排気側熱交換器（58）を通過する間に冷媒へ放熱し、その後に排気ファン（71）を通過して排気口（64）から室外へ排出される。
【０１０４】
また、冷媒回路（40）では、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。この点も上記実施形態１と同様である。
【０１０５】
第１動作中には、図１７に示すように、第１右下ダンパ（74）及び第２右上ダンパ（73）が開状態となり、第１右上ダンパ（72）及び第２右下ダンパ（75）が閉状態となる。また、第１左上ダンパ（76）及び第２左下ダンパ（79）が開状態となり、第１左下ダンパ（78）及び第２左上ダンパ（77）が閉状態となる。
【０１０６】
左下通路（68）へ流入した室内空気は、第２左下ダンパ（79）を通って第２吸着熱交換器（57）の下側へ流入し、第２吸着熱交換器（57）を下から上へ向かって通過する。第２吸着熱交換器（57）では、室内空気中の水分が吸着材に吸着されて室内空気が除湿され、その際に生じた吸着熱が冷媒に吸熱される。第２吸着熱交換器（57）で水分を奪われた室内空気は、第２右上ダンパ（73）を通って右上通路（65）へ流入し、排気ファン（71）を通過後に排気口（64）から室外へ排出される。
【０１０７】
右下通路（66）へ流入した室外空気は、第１右下ダンパ（74）を通って第１吸着熱交換器（56）の下側へ流入し、第１吸着熱交換器（56）を下から上へ向かって通過する。第１吸着熱交換器（56）では、冷媒で加熱された吸着材から水分が脱離し、この脱離した水分が空気に付与される。第１吸着熱交換器（56）で加湿された室内空気は、第１左上ダンパ（76）を通って左上通路（67）へ流入し、給気ファン（70）を通過後に給気口（63）から室内へ送り返される。
【０１０８】
第２動作中には、図１８に示すように、第１右上ダンパ（72）及び第２右下ダンパ（75）が開状態となり、第１右下ダンパ（74）及び第２右上ダンパ（73）が閉状態となる。また、第１左下ダンパ（78）及び第２左上ダンパ（77）が開状態となり、第１左上ダンパ（76）及び第２左下ダンパ（79）が閉状態となる。
【０１０９】
左下通路（68）へ流入した室内空気は、第１左下ダンパ（78）を通って第１吸着熱交換器（56）の下側へ流入し、第１吸着熱交換器（56）を下から上へ向かって通過する。第１吸着熱交換器（56）では、室内空気中の水分が吸着材に吸着されて室内空気が除湿され、その際に生じた吸着熱が冷媒に吸熱される。第１吸着熱交換器（56）で水分を奪われた室内空気は、第１右上ダンパ（72）を通って右上通路（65）へ流入し、排気ファン（71）を通過後に排気口（64）から室外へ排出される。
【０１１０】
右下通路（66）へ流入した室外空気は、第２右下ダンパ（75）を通って第２吸着熱交換器（57）の下側へ流入し、第２吸着熱交換器（57）を下から上へ向かって通過する。第２吸着熱交換器（57）では、冷媒で加熱された吸着材から水分が脱離し、この脱離した水分が室内空気に付与される。第２吸着熱交換器（57）で加湿された室内空気は、第２左上ダンパ（77）を通って左上通路（67）へ流入し、給気ファン（70）を通過後に給気口（63）から室内へ送り返される。
【０１１１】
−実施形態２の効果−
本実施形態では、吸着材が担持された吸着熱交換器（56,57）を利用して空気の湿度調節を行っている。この点は、上記実施形態１と同様である。従って、本実施形態によれば、上記実施形態１と同様に、冷凍サイクルの冷媒蒸発温度を従来よりも高く設定して圧縮機（50）の消費電力を削減でき、冷凍サイクルのＣＯＰを向上させることができる。
【０１１２】
また、本実施形態では、冷媒回路（40）の全体を１つの本体ケーシング（60）に収納し、その本体ケーシング（60）を屋内に設置している。このため、空気調和装置（10）の据付時に現地で冷媒配管を接続する工事が不要となり、その設置作業の工数を削減できる。
【０１１３】
また、本実施形態では、空気調和装置によって室内への給気と室内からの排気との両方を行っている。従って、本実施形態の空気調和装置によれば、いわゆる第１種換気が可能となる。
【０１１４】
《参考技術》
参考技術について説明する。この参考技術の空気調和装置（10）は、上記実施形態１において第１吸着熱交換器（56）及び第２吸着熱交換器（57）の配置を変更したものである。ここでは、この参考技術について、上記実施形態１と異なる点を説明する。
【０１１５】
図１９及び図２０に示すように、この空気調和装置（10）では、第１吸着熱交換器（56）及び第２吸着熱交換器（57）が室外ユニット（12）に収納されている。つまり、室外ユニット（12）の室外ケーシング（13）には、上記実施形態１と同様に室外熱交換器（54）や室外ファン（14）などが収納されると共に、それに加えて２つの吸着熱交換器（56,57）が収納されている。また、この参考技術の室内ユニット（11）では、室内ケーシング（20）内に室内熱交換器（55）と室内ファン（31）が収納されている。
【０１１６】
図２０及び図２１に示すように、室外熱交換器（54）は、室外ケーシング（13）の背面（図２０及び図２１における右側の面）に沿って配置されている。室外ケーシング（13）内における室外熱交換器（54）の前面側には、室外ファン（14）が配置されている。また、２つの吸着熱交換器（56,57）は、室外ケーシング（13）の上面に沿って並んで配置されている。
【０１１７】
この参考技術の空気調和装置（10）では、上記実施形態１の排気ファン（32）に代えて給気ファン（39）が、上記実施形態１の排気ダクト（25）に代えて給気ダクト（28）がそれぞれ設けられている。図２０に示すように、給気ファン（39）は、室外ケーシング（13）に収納されている。給気ダクト（28）は、その一端が給気ファン（39）の吹出側に接続され、他端が室内ユニット（11）に接続されている。室外ユニット（12）では、第１吸着熱交換器（56）を通過した空気が給気ファン（39）へ吸入されて第２吸着熱交換器（57）を通過した空気が室外ファン（14）へ吸入される状態と、第２吸着熱交換器（57）を通過した空気が給気ファン（39）へ吸入されて第１吸着熱交換器（56）を通過した空気が室外ファン（14）へ吸入される状態とが切換可能となっている。
【０１１８】
−運転動作−
この参考技術の空気調和装置（10）では、除湿冷房運転と加湿暖房運転とが行われる。
【０１１９】
空気調和装置（10）の運転中には、室内熱交換器（55）を室内空気が通過し、室外熱交換器（54）、第１吸着熱交換器（56）、及び第２吸着熱交換器（57）のそれぞれを室外空気が通過する。
【０１２０】
〈除湿冷房運転〉
除湿冷房運転における冷媒回路（40）の動作は、上記実施形態１と同様である（図３参照）。つまり、冷媒回路（40）では、室外熱交換器（54）が凝縮器となって室内熱交換器（55）が蒸発器となる。そして、室内熱交換器（55）で冷却された室内空気が室内へ送り返され、室外熱交換器（54）で冷媒から吸熱した室外空気が室外へ排出される。
【０１２１】
また、冷媒回路（40）では、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。この点も上記実施形態１と同様である。
【０１２２】
第１動作中において、第１吸着熱交換器（56）から脱離した水分は、室外空気と共に室外ファン（14）へ吸引されて室外へ排出される。第２吸着熱交換器（57）で除湿された室外空気は、給気ファン（39）を通過後に給気ダクト（28）を通って室内へ供給される。
【０１２３】
第２動作中において、第２吸着熱交換器（57）から脱離した水分は、室外空気と共に室外ファン（14）へ吸引されて室外へ排出される。第１吸着熱交換器（56）で除湿された室外空気は、給気ファン（39）を通過後に吸気ダクトを通って室内へ供給される。
【０１２４】
〈加湿暖房運転〉
加湿暖房運転における冷媒回路（40）の動作は、上記実施形態１と同様である（図４参照）。つまり、冷媒回路（40）では、給気側熱交換器（59）が凝縮器となって排気側熱交換器（58）が蒸発器となる。そして、室内熱交換器（55）で加熱された室内空気が室内へ送り返され、室外熱交換器（54）で冷媒へ放熱した室外空気が室外へ排出される。
【０１２５】
また、冷媒回路（40）では、第１吸着熱交換器（56）が凝縮器となって第２吸着熱交換器（57）が蒸発器となる第１動作と、第２吸着熱交換器（57）が凝縮器となって第１吸着熱交換器（56）が蒸発器となる第２動作とが交互に繰り返される。この点も上記実施形態１と同様である。
【０１２６】
第１動作中において、第１吸着熱交換器（56）で加湿された室外空気は、給気ファン（39）を通過後に給気ダクト（28）を通って室内へ供給される。第２吸着熱交換器（57）で水分を奪われた室外空気は、室外ファン（14）へ吸引されて室外へ排出される。
【０１２７】
第２動作中において、第２吸着熱交換器（57）で加湿された室外空気は、給気ファン（39）を通過後に給気ダクト（28）を通って室内へ供給される。第１吸着熱交換器（56）で水分を奪われた室外空気は、室外空気と共に室外ファン（14）へ吸引されて室外へ排出される。
【０１２８】
−参考技術の効果−
この参考技術では、吸着材が担持された吸着熱交換器（56,57）を利用して空気の湿度調節を行っている。この点は、上記実施形態１と同様である。従って、この参考技術によれば、上記実施形態１と同様に、冷凍サイクルの冷媒蒸発温度を従来よりも高く設定して圧縮機（50）の消費電力を削減でき、冷凍サイクルのＣＯＰを向上させることができる。
【０１２９】
また、この参考技術では、室外熱交換器（54）と２つの吸着熱交換器（56,57）を室外ユニット（12）に配置し、室内ユニット（11）には室内熱交換器（55）だけを配置している。従って、この参考技術によれば、室内ユニット（11）の大きさを、吸着熱交換器（56,57）が設けられていない一般的な空調機のものと同程度にすることができる。
【０１３０】
また、この参考技術では、空気調和装置によって室内への給気を行っている。従って、室外への排気を自然排気によって行えば、いわゆる第２種換気が可能となる。
【０１３１】
《その他の実施形態》
上記実施形態では、次のような構成としてもよい。
【０１３２】
−第１変形例−
上記実施形態１では、室内から室外へ排出される空気が一方の吸着熱交換器（56,57）を通過する構成となっているが、これに代えて次のような構成としてもよい。
【０１３３】
図２２に示すように、室内から室外への排気に加えて室外から取り込んだ室外空気を一方の吸着熱交換器（56,57）へ導入し、その吸着熱交換器（56,57）を通過した空気を室外へ排出するようにしてもよい。つまり、除湿冷房運転中であれば、凝縮器となっている吸着熱交換器（56,57）へ室内空気と室外空気の両方を供給し、この吸着熱交換器（56,57）を通過した空気を室外へ排出する。一方、加湿暖房運転中であれば、蒸発器となっている吸着熱交換器（56,57）へ室内空気と室外空気の両方を供給し、この吸着熱交換器（56,57）を通過した空気を室外へ排出する。
【０１３４】
この変形例によれば、吸着熱交換器（56,57）の通過風量を室内からの排気量よりも多く設定することができる。このため、除湿冷房運転中であれば、凝縮器となっている吸着熱交換器（56,57）の通過風量を増大させることができ、その吸着熱交換器（56,57）の再生を充分に行うことができる。また、加湿暖房運転中であれば、蒸発器となっている吸着熱交換器（56,57）の通過風量を増大させることができ、その吸着熱交換器（56,57）に吸着される水分量を増大させることができる。
【０１３５】
本変形例では、図２３に示すように、空気通路における吸着熱交換器（56,57）の下流側に排気ファン（32）を、吸着熱交換器（56,57）の上流側にダンパ（80）をそれぞれ設ける構造としてもよい。この構造において、ダンパ（80）を開くと、このダンパ（80）を通って室内空気が空気通路へ流入し、室外空気と共に吸着熱交換器（56,57）へ流入する。
【０１３６】
−第２変形例−
上記実施形態１では、室内から室外へ排出される空気が一方の吸着熱交換器（56,57）を通過する構成となっているが、これに代えて次のような構成としてもよい。
【０１３７】
図２４に示すように、室外から取り込んだ空気の一部を一方の吸着熱交換器（56,57）へ導入して残りをそのまま室内へ供給すると共に、その吸着熱交換器（56,57）を通過した空気を室外へ排出するようにしてもよい。つまり、除湿冷房運転中であれば、取り込んだ室外空気の一部を凝縮器となっている吸着熱交換器（56,57）へ供給し、この吸着熱交換器（56,57）を通過した空気を室外へ排出する。一方、加湿暖房運転中であれば、取り込んだ室外空気の一部を蒸発器となっている吸着熱交換器（56,57）へ供給し、この吸着熱交換器（56,57）を通過した空気を室外へ排出する。
【０１３８】
この変形例によれば、吸着熱交換器（56,57）の通過風量を室内への給気量とは無関係に設定できる。つまり、室内への給気量の制約を受けることなく、吸着熱交換器（56,57）の通過風量を多く設定できる。このため、除湿冷房運転中であれば、凝縮器となっている吸着熱交換器（56,57）の通過風量を増大させることができ、その吸着熱交換器（56,57）の再生を充分に行うことができる。また、加湿暖房運転中であれば、蒸発器となっている吸着熱交換器（56,57）の通過風量を増大させることができ、その吸着熱交換器（56,57）に吸着される水分量を増大させることができる。
【０１３９】
本変形例では、図２５に示すように、空気通路における吸着熱交換器（56,57）の上流側に排気ファン（32）を、吸着熱交換器（56,57）と排気ファン（32）の間にダンパ（80）をそれぞれ設ける構造としてもよい。この構造において、ダンパ（80）を開くと、このダンパ（80）を通って室外空気の一部が室内へそのまま供給され、残りの室外空気が吸着熱交換器（56,57）へ流入する。
【０１４０】
−第３変形例−
上記実施形態２では、冷媒回路（40）の全体が収納された本体ケーシング（60）を屋内に設置しているが、これに代えて、図２６に示すように、本体ケーシング（60）を屋外に設置してもよい。つまり、この第３変形例の冷媒回路（40）は、その全体が屋外に配置される。屋外に設置された本体ケーシング（60）は、ダクトによって室内空間に接続される。
【産業上の利用可能性】
【０１４１】
以上説明したように、本発明は、冷凍サイクルを行って室内の顕熱負荷及び潜熱負荷を処理する空気調和装置について有用である。
【図面の簡単な説明】
【０１４２】
【図１】実施形態１における空気調和装置の設置状態と空気の流れを示す概念図である。
【図２】実施形態１における空気調和装置の構成を示す概略構成図である。
【図３】実施形態１における冷媒回路の構成と除湿冷却運転時の動作を示す概略構成図である。
【図４】実施形態１における冷媒回路の構成と加湿暖房運転時の動作を示す概略構成図である。
【図５】実施形態１の空気調和装置における除湿冷房運転の第１動作を示す概略構成図である。
【図６】実施形態１の空気調和装置における除湿冷房運転の第２動作を示す概略構成図である。
【図７】実施形態１の空気調和装置における加湿暖房運転の第１動作を示す概略構成図である。
【図８】実施形態１の空気調和装置における加湿暖房運転の第２動作を示す概略構成図である。
【図９】実施形態１の変形例１における空気調和装置の設置状態と空気の流れを示す概念図である。
【図１０】実施形態１の変形例２における室内ユニットの構成を示す概略構成図である。
【図１１】実施形態１の変形例２の室内ユニットにおける動作状態を示す概略構成図である。
【図１２】実施形態１の変形例２の室内ユニットにおける動作状態を示す概略構成図である。
【図１３】実施形態２における空気調和装置の設置状態と空気の流れを示す概念図である。
【図１４】実施形態２における空気調和装置の構成を示す概略構成図である。
【図１５】実施形態２の空気調和装置における除湿冷房運転の第１動作を示す概略構成図である。
【図１６】実施形態２の空気調和装置における除湿冷房運転の第２動作を示す概略構成図である。
【図１７】実施形態２の空気調和装置における加湿暖房運転の第１動作を示す概略構成図である。
【図１８】実施形態２の空気調和装置における加湿暖房運転の第２動作を示す概略構成図である。
【図１９】参考技術における空気調和装置の設置状態と空気の流れを示す概念図である。
【図２０】参考技術における空気調和装置の構成を示す概略構成図である。
【図２１】参考技術における室外ユニットの概略斜視図である。
【図２２】第１変形例の空気調和装置における設置状態と空気の流れを示す概念図である。
【図２３】第１変形例における空気調和装置の要部を示す概略構成図である。
【図２４】第２変形例の空気調和装置における設置状態と空気の流れを示す概念図である。
【図２５】第２変形例における空気調和装置の要部を示す概略構成図である。
【図２６】第３変形例における空気調和装置の要部を示す概略構成図である。
【符号の説明】
【０１４３】
（20）  ケーシング
（21）  第１空間
（22）  第２空間
（23）  給気通路
（24）  排気通路
（33）  第１給気ダンパ
（34）  第１排気ダンパ
（35）  第２給気ダンパ
（36）  第２排気ダンパ
（37）  第１切換ダンパ
（38）  第２切換ダンパ
（40）  冷媒回路
（41）  屋外回路
（42）  屋内回路
（43）  ガス側連絡配管
（44）  液側連絡配管
（54）  室外熱交換器（熱源側熱交換器）
（55）  室内熱交換器（空気熱交換器）
（56）  吸着熱交換器
（57）  吸着熱交換器
（58）  熱源側熱交換器（熱源側熱交換器）
（59）  給気側熱交換器（空気熱交換器）
（60）  ケーシング
（61）  内気吸込口
（62）  外気吸込口
（63）  給気口
（64）  排気口
【図１】
0003649236.tif 000002
【図２】
0003649236.tif 000003
【図３】
0003649236.tif 000004
【図４】
0003649236.tif 000005
【図５】
0003649236.tif 000006
【図６】
0003649236.tif 000007
【図７】
0003649236.tif 000008
【図８】
0003649236.tif 000009
【図９】
0003649236.tif 000010
【図１０】
0003649236.tif 000011
【図１１】
0003649236.tif 000012
【図１２】
0003649236.tif 000013
【図１３】
0003649236.tif 000014
【図１４】
0003649236.tif 000015
【図１５】
0003649236.tif 000016
【図１６】
0003649236.tif 000017
【図１７】
0003649236.tif 000018
【図１８】
0003649236.tif 000019
【図１９】
0003649236.tif 000020
【図２０】
0003649236.tif 000021
【図２１】
0003649236.tif 000022
【図２２】
0003649236.tif 000023
【図２３】
0003649236.tif 000024
【図２４】
0003649236.tif 000025
【図２５】
0003649236.tif 000026
【図２６】
0003649236.tif 000027